(57)【要約】【課題】利得制御ループの帰還側で利得異常が発生した場合でも、帰還側の利得異常の影響を受けずに送信アナログ出力信号を一定にする。【解決手段】送信アナログ出力信号の利得を制御するための利得制御ループに対して、検波部１９、Ａ／Ｄ変換部２０と、比較オフセット部２１により構成される帰還利得監視手段が設けられている。帰還利得監視手段は、利得制御ループの帰還利得、つまり周波数ダウンコンバート部１２の利得を監視し、帰還利得の異常が発生したことを検出した場合には帰還利得補正情報Ｓ７を比較制御部１８に出力することにより、利得制御ループにおいて発生した利得変動分を補正して送信出力が一定になるような動作を行う。【選択図】図１
2007110397.tif 000002
【特許請求の範囲】
【請求項１】
入力されたデジタルのベースバンド信号と、帰還デジタル信号との差分から増幅部において発生した歪成分を検出し、検出した歪み成分が補償されるように、前記ベースバンド信号に対して逆歪特性を与えるデジタル処理を行って送信デジタル信号として出力するデジタルプリディストーション部と、
前記デジタルプリディストーション部からの送信デジタル信号をアナログ信号に変換するＤ／Ａ変換部と、
前記Ｄ／Ａ変換部により変換されたアナログ信号を無線周波数帯域の信号に周波数変換するとともに利得制御を行ってアナログ送信出力信号として出力する周波数アップコンバート部と、
前記周波数アップコンバート部からのアナログ送信出力信号を一定のゲインで増幅する増幅部と、
前記送信デジタル信号とアナログ送信出力信号を帰還して生成した帰還デジタル信号とが一定の比となるように前記送信アナログ送信出力信号の利得制御を行う利得制御ループと、を備えた送信装置において、
前記利得制御ループの帰還利得を算出し、算出された帰還利得と予め設定された帰還基準利得情報との差を、前記利得制御ループの送信利得を制御する送信制御情報を補正するための帰還利得情報として出力する帰還利得監視手段を備えたことを特徴とする送信装置。
【請求項２】
前記帰還利得監視手段が、
前記利得制御ループに入力される帰還入力アナログ信号を検波する検波部と、
前記検波部により検波された信号に対してＡ／Ｄ変換を行うことにより帰還入力デジタル信号に変換するＡ／Ｄ変換部と、
前記Ａ／Ｄ変換部からの帰還入力デジタル信号と、前記利得制御ループにおいて生成された帰還デジタル信号とを比較して、前記帰還入力デジタル信号と前記帰還デジタル信号との差分から帰還利得を算出し、算出した帰還利得と、予め設定されている帰還基準利得情報とを比較して、送信利得を補正するための帰還利得補正情報を出力する比較オフセット部と、
から構成される請求項１記載の送信装置。
【請求項３】
前記比較オフセット部が、
前記帰還入力デジタル信号を一定時間遅延させることにより、前記帰還入力デジタル信号と前記帰還デジタル信号の入力タイミングを同期させる遅延部と、
前記遅延部からの帰還入力デジタル信号を一定時間蓄積して平均化した第１の平均送信電力データを出力する第１の平均処理部と、
入力された前記帰還デジタル信号を一定時間蓄積して平均化した第２の平均送信電力データを出力する第２の平均処理部と、
前記第１の平均送信電力データと前記第２の平均送信電力データとの比較を行うことにより、帰還利得を算出し、算出された帰還利得を帰還利得情報として出力する比較器と、
帰還利得の基準値を帰還基準利得情報として格納する帰還基準利得メモリ部と、
前記比較器からの帰還利得情報と、前記帰還基準利得情報メモリ部に格納されている帰還基準利得情報との差分を算出して前記帰還利得補正情報として出力する演算器と、
から構成されている請求項２記載の送信装置。
【請求項４】
前記比較オフセット部が、
前記演算器からの帰還利得補正情報を、予め設定された帰還利得閾値と比較することにより帰還側の利得異常を検出し、利得異常が検出された場合に警報を発生する判定部をさらに有する請求項３記載の送信装置。
【発明の詳細な説明】
【技術分野】
【０００１】
本発明は、入力されたデジタルのベースバンド信号から無線周波数帯域のアナログ送信出力信号を生成して送信するための送信装置に関する。
【背景技術】
【０００２】
一般的に無線通信用の送信装置には、送信出力の非線形歪補正制御を必要とする。この歪補正制御の１つの方式として、ＤＰＤ（Digital PreDistortion）方式が提案されている（例えば、特許文献１、２参照。）このＤＰＤ方式とは、送信アナログ出力信号を帰還して増幅部の歪成分を検出しデジタル処理により歪補正する方法である。ＤＰＤ方式の利得制御を行う従来の送信装置の構成を図５を参照して説明する。
【０００３】
この従来の送信装置は、図５に示されるように、ＤＰＤ部１と、デジタルアナログ（Ｄ／Ａ）変換部４と、周波数アップコンバート部５と、増幅部９と、分配部１０と、周波数ダウンコンバート部１２と、アナログデジタル（Ａ／Ｄ）変換部１６と、Ｄ／Ａ変換部１７と、比較制御部５８とから構成される。
【０００４】
さらに、周波数アップコンバート部５は、周波数変換部６と、帯域通過フィルタ（ＢＰＦ）７と、可変減衰器８とから構成される。また、周波数ダウンコンバート部１２は、周波数変換部１３と、帯域通過フィルタ（ＢＰＦ）１４と、増幅部１５とから構成される。
【０００５】
ＤＰＤ部１は、図示しない歪検出制御部により、入力されたベースバンド信号Ｓ１と帰還デジタル信号Ｓ８との差分から増幅部９において発生した歪成分を検出する。そして、ＤＰＤ部１は、図示しない振幅および位相補正部により、検出した歪み成分が補償されるように、入力されたベースバンド信号Ｓ１に対して逆歪特性を与えるデジタル処理を行って送信デジタル信号Ｓ２として出力する。
【０００６】
Ｄ／Ａ変換部４は、ＤＰＤ部１からの送信デジタル信号Ｓ２をアナログ信号に変換して、周波数アップコンバート部５の周波数変換部６に入力する。周波数変換部６は、Ｄ／Ａ変換部４により変換されたアナログ信号を無線周波数帯域の信号に周波数変換する。ＢＰＦ７は、周波数変換部６により周波数変換された後の信号に対して、送信周波数帯域の信号のみを通過させる。可変減衰器８は、ＢＰＦ７通過後の信号をＤ／Ａ変換部１７からの制御信号に基づいて減衰させて出力する。増幅部９は、可変減衰器８からの送信アナログ出力信号を一定のゲインで増幅する。
【０００７】
分配部１０は、増幅部９により増幅された送信アナログ出力信号を帰還入力アナログ信号Ｓ３とアンテナへの信号とに分配する。周波数変換部１３は、分配部１０からの送信アナログ出力信号をベースバンド帯域の信号に変換する。ＢＰＦ１４は、周波数変換部１３により周波数変換された後の信号に対して一定の周波数帯のみを通過させる。増幅部１５は、ＢＰＦ１４通過後の信号を一定のゲインで増幅して帰還アナログ信号として出力する。Ａ／Ｄ変換部１６は、増幅部１５により増幅された帰還アナログ信号をデジタル信号にして帰還デジタル信号Ｓ８として出力する。
【０００８】
比較制御部５８は、ＤＰＤ部１から出力される送信デジタル信号Ｓ２と、Ａ／Ｄ変換部１６からの帰還デジタル信号Ｓ８とを比較して、この送信デジタル信号Ｓ２と帰還デジタル信号Ｓ８との差分から送信利得を算出する。そして、比較制御部５８は、算出した送信利得と、予め設定されている送信基準利得情報とを比較して、送信を補正するための送信制御信号Ｓ６を出力する。
【０００９】
Ｄ／Ａ変換部１７は、比較制御部５８からの送信制御信号Ｓ６をＤ／Ａ変換して可変減衰器８を制御するための制御信号として出力する。
【００１０】
上記で説明したようなＤＰＤ方式の従来の送信装置では、増幅部９において発生した歪成分を基にデジタル処理を行う構成上、増幅部９の送信アナログ出力信号を帰還して帰還入力アナログ信号Ｓ３とし、この帰還入力アナログ信号Ｓ３をデジタル信号に変換している。そして、送信アナログ出力信号における温度変動、経年変化による利得変動を抑えるために、送信デジタル信号Ｓ２と帰還デジタル信号Ｓ８を比較した送信利得情報Ｓ６と、予め記憶している送信基準利得情報との差を補正するように可変減衰器８を制御する利得制御ループを適用している。この利得制御ループは、送信デジタル信号Ｓ２とアナログ送信出力信号を帰還して生成した帰還デジタル信号Ｓ８とが一定の比となるように送信アナログ送信出力信号の利得制御を行う。
【００１１】
しかし、この利得制御ループには、帰還入力アナログ信号Ｓ３を帰還デジタル信号Ｓ８に変換するための帰還側も含まれるため、帰還側で利得異常が発生した場合、比較制御部５８は、帰還側の利得異常で生じた送信デジタル信号Ｓ２との差分を、送信アナログ出力信号の異常と認識するために誤った利得補正を行い、送信アナログ出力信号を一定にできないという不具合があった。また、帰還側の利得異常を検出できない問題がある。
【特許文献１】特開２００５−６５２１１号公報
【特許文献２】特開２００５−１５１１１９号公報
【発明の開示】
【発明が解決しようとする課題】
【００１２】
上述した従来の送信装置では、帰還側で利得異常が発生した場合、誤った利得補正が行われ、送信アナログ出力信号を一定にすることができないという問題点があった。
【００１３】
本発明の目的は、帰還側で利得異常が発生した場合でも、帰還側の利得異常の影響を受けずに送信アナログ出力信号を一定にすることができる送信装置を提供することである。
【課題を解決するための手段】
【００１４】
上記目的を達成するために、本発明の送信装置は、入力されたデジタルのベースバンド信号と、帰還デジタル信号との差分から増幅部において発生した歪成分を検出し、検出した歪み成分が補償されるように、前記ベースバンド信号に対して逆歪特性を与えるデジタル処理を行って送信デジタル信号として出力するデジタルプリディストーション部と、
前記デジタルプリディストーション部からの送信デジタル信号をアナログ信号に変換するＤ／Ａ変換部と、
前記Ｄ／Ａ変換部により変換されたアナログ信号を無線周波数帯域の信号に周波数変換するとともに利得制御を行ってアナログ送信出力信号として出力する周波数アップコンバート部と、
前記周波数アップコンバート部からのアナログ送信出力信号を一定のゲインで増幅する増幅部と、
前記送信デジタル信号とアナログ送信出力信号を帰還して生成した帰還デジタル信号とが一定の比となるように前記送信アナログ送信出力信号の利得制御を行う利得制御ループと、を備えた送信装置において、
前記利得制御ループの帰還利得を算出し、算出された帰還利得と予め設定された帰還基準利得情報との差を、前記利得制御ループの送信利得を制御する送信制御情報を補正するための帰還利得情報として出力する帰還利得監視手段を備えたことを特徴とする。
【００１５】
本発明によれば、帰還利得監視手段は、利得制御ループの帰還側で利得異常が発生した場合には、帰還利得補正情報を比較制御ループに出力するようにし、比較制御ループではこの帰還利得補正情報により送信制御情報を補正して送信利得制御が誤動作しなようにしているので、帰還側で利得異常が発生した場合でもこの利得異常の影響を受けずに、送信アナログ出力信号を一定にすることができる。
【００１６】
また、前記帰還利得監視手段を、
前記利得制御ループに入力される帰還入力アナログ信号を検波する検波部と、
前記検波部により検波された信号に対してＡ／Ｄ変換を行うことにより帰還入力デジタル信号に変換するＡ／Ｄ変換部と、
前記Ａ／Ｄ変換部からの帰還入力デジタル信号と、前記利得制御ループにおいて生成された帰還デジタル信号とを比較して、前記帰還入力デジタル信号と前記帰還デジタル信号との差分から帰還利得を算出し、算出した帰還利得と、予め設定されている帰還基準利得情報とを比較して、送信利得を補正するための帰還利得補正情報を出力する比較オフセット部とから構成するようにしてもよい。
【００１７】
さらに、前記比較オフセット部を、
前記帰還入力デジタル信号を一定時間遅延させることにより、前記帰還入力デジタル信号と前記帰還デジタル信号の入力タイミングを同期させる遅延部と、
前記遅延部からの帰還入力デジタル信号を一定時間蓄積して平均化した第１の平均送信電力データを出力する第１の平均処理部と、
入力された前記帰還デジタル信号を一定時間蓄積して平均化した第２の平均送信電力データを出力する第２の平均処理部と、
前記第１の平均送信電力データと前記第２の平均送信電力データとの比較を行うことにより、帰還利得を算出し、算出された帰還利得を帰還利得情報として出力する比較器と、
帰還利得の基準値を帰還基準利得情報として格納する帰還基準利得メモリ部と、
前記比較器からの帰還利得情報と、前記帰還基準利得情報メモリ部に格納されている帰還基準利得情報との差分を算出して前記帰還利得補正情報として出力する演算器とから構成するようにしてもよい。
【００１８】
さらに、前記比較オフセット部が、
前記演算器からの帰還利得補正情報を、予め設定された帰還利得閾値と比較することにより帰還側の利得異常を検出し、利得異常が検出された場合に警報を発生する判定部をさらに有するようにしてもよい。
【００１９】
本発明によれば、利得制御ループの帰還側に利得異常が発生した場合にはユーザに対して判定部より警報が発せられるので、ユーザは利得異常の発生を知ることが可能になる。
【発明の効果】
【００２０】
以上説明したように、本発明によれば、帰還側の利得に異常が発生した場合に、帰還側の利得の異常量を検出し、利得制御ループにより制御される送信アナログ出力信号の利得制御に対して、帰還側の利得変動分を補正することで送信出力を一定にすることができるという効果を得ることができる。
【発明を実施するための最良の形態】
【００２１】
次に、本発明の実施の形態について図面を参照して詳細に説明する。
【００２２】
（第１の実施形態）
図１は本発明の第１の実施形態の送信装置の構成を示すブロック図である。図１において、図５中の構成要素と同一の構成要素には同一の符号を付し、説明を省略するものとする。
【００２３】
本実施形態の送信装置は、図１に示されるように、ＤＰＤ部１と、デジタルアナログ（Ｄ／Ａ）変換部４と、周波数アップコンバート部５と、増幅部９と、分配部１０、１１と、周波数ダウンコンバート部１２と、アナログデジタル（Ａ／Ｄ）変換部１６と、Ｄ／Ａ変換部１７と、比較制御部１８と、検波部１９と、Ａ／Ｄ変換部２０と、比較オフセット部２１とから構成される。
【００２４】
本実施形態の送信装置は、図５に示した従来の送信装置に対して、分配器１１、検波部１９、Ａ／Ｄ変換部２０、比較オフセット部２１を新たに設け、比較制御部５８を比較制御部１８に置き換えた構成となっている。本実施形態の送信装置は、送信アナログ出力信号の利得を制御するための利得制御ループに対して、帰還利得を監視するための帰還利得監視手段が設けられていることが特徴である。そして、この帰還利得監視手段は、検波部１９、Ａ／Ｄ変換部２０と、比較オフセット部２１により構成される。
【００２５】
本実施形態の特徴部分である帰還利得監視手段は、利得制御ループの帰還利得、つまり周波数ダウンコンバート部１２の利得を監視し、帰還利得の異常が発生したことを検出した場合には帰還利得補正情報Ｓ７を比較制御部１８に出力することにより、利得制御ループにおいて発生した利得変動分を補正して送信出力が一定になるような動作を行う。
【００２６】
具体的には、帰還利得監視手段は、算出された帰還利得と予め設定された帰還基準利得情報との差を、利得制御ループの送信利得を制御する送信制御情報Ｓ６を補正するための帰還利得情報Ｓ７として出力する。
【００２７】
次に、本実施形態の送信装置を構成する各構成要素について説明する。
【００２８】
分配部１１は、分配部１０と周波数ダウンコンバート部１２との間に設けられ、分配部１０からの帰還入力アナログ信号Ｓ３を分配して検波部１９に出力する。検波部１９は、周波数ダウンコンバート部１２に入力される帰還入力アナログ信号Ｓ３を分配部１１により分配された信号を検波する。Ａ／Ｄ変換部２０は、検波部１９により検波された信号に対してＡ／Ｄ変換を行うことにより帰還入力デジタル信号Ｓ５に変換する。
【００２９】
比較オフセット部２１は、Ａ／Ｄ変換部２０からの帰還入力デジタル信号Ｓ５と、帰還デジタル信号Ｓ８とを比較して、この帰還入力デジタル信号Ｓ５と帰還デジタル信号Ｓ８との差分から帰還利得を算出する。そして、比較オフセット部２１は、算出した帰還利得と、予め設定されている帰還基準利得情報とを比較して、送信利得を補正するための帰還利得補正情報Ｓ７を出力する。
【００３０】
図２は、帰還利得監視手段を構成する比較オフセット部２１の一例としてのブロック図を示している。
【００３１】
比較オフセット部２１は、図２に示されるように、遅延部２１１と、平均処理部２１２、２１３と、比較器２１４と、演算器２１５と、帰還基準利得メモリ部２１６とから構成されている。
【００３２】
遅延部２１１は、帰還入力デジタル信号Ｓ５を一定時間遅延させることにより、帰還入力デジタル信号Ｓ５と帰還デジタル信号Ｓ８の入力タイミングを同期させる。
【００３３】
平均処理部２１２は、遅延部２１１からの帰還入力デジタル信号Ｓ５を任意の一定時間蓄積し平均化した平均送信電力データＳ２１を出力する。
【００３４】
平均処理部２１３は、入力される帰還デジタル信号Ｓ８を任意の一定時間蓄積し平均化した平均送信電力データＳ２２を出力する。
【００３５】
比較器２１４は、平均送信電力データＳ２１と平均送信電力データＳ２２との比較を行うことにより、帰還利得を算出し、算出された帰還利得を帰還利得情報Ｓ２３として出力する。
【００３６】
帰還基準利得メモリ部２１６は、帰還利得の基準値を帰還基準利得情報Ｓ２４として格納している。ここで、帰還利得の基準値とは、周波数ダウンコンバート部１２が正常な場合に得られる帰還利得の基準値を示している。
【００３７】
演算器２１５は、比較器２１４からの帰還利得情報Ｓ２３と、帰還基準利得情報メモリ部２１６に格納されている帰還基準利得情報Ｓ２４との差分を算出して帰還利得補正情報Ｓ７として出力する。
【００３８】
図３は、利得制御ループを構成する比較制御部１８の一例のブロック図を示している。
【００３９】
比較制御部１８は、図３に示されるように、遅延部１８１と、平均処理部１８２、１８３と、比較器１８４と、演算器１８５、１８６と、送信基準利得メモリ部１８７とから構成されている。
【００４０】
遅延部１８１は、送信デジタル信号Ｓ２を一定時間遅延させることにより、送信デジタル信号Ｓ２と帰還デジタル信号Ｓ８のタイミングを同期させる。
【００４１】
平均処理部１８２は、遅延部１８１からの送信デジタル信号Ｓ２を任意の一定時間蓄積し平均化した平均送信電力データＳ３１を出力する。
【００４２】
平均処理部１８３は、入力される帰還デジタル信号Ｓ８を任意の一定時間蓄積し平均化した平均送信電力データＳ３２を出力する。
【００４３】
比較器１８４は、平均送信電力データＳ３１と平均送信電力データＳ３２との比較を行うことにより、送信利得を算出し、算出された送信利得を送信利得情報Ｓ３３として入力する。
【００４４】
送信基準利得メモリ部１８７は、利得制御ループにおける送信利得の基準値を送信基準利得情報Ｓ３５として格納している。
【００４５】
演算器１８５は、比較器１８４から出力される送信利得情報Ｓ３３と、送信基準利得情報メモリ部１８７に格納されている送信基準利得情報Ｓ３５との差分を算出して送信利得差分情報Ｓ３４として出力する。
【００４６】
演算器１８６は、演算器１８５からの送信利得差分情報Ｓ３４と、比較オフセット部２１から出力された帰還利得補正情報Ｓ７との演算を行うことにより、送信利得差分情報Ｓ３４の補正を行って送信制御情報Ｓ６として出力する。
【００４７】
次に、本実施形態の送信装置の動作を図面を参照して詳細に説明する。
【００４８】
ＤＰＤ部１では、増幅部９の非線形歪成分を含んだ帰還デジタル信号Ｓ８とベースバンド信号Ｓ１が入力され、図示しない歪検出制御部にて増幅部９の歪成分の差分信号を算出し、歪成分の差分信号を基に逆歪特性の信号を算出する。そして、ＤＰＤ部１は、図示しない振幅および位相補正部にてベースバンド信号Ｓ１の振幅および位相を逆歪特性の信号によりあらかじめ歪ませた送信デジタル信号Ｓ２を出力する。
【００４９】
送信デジタル信号Ｓ２は、Ｄ／Ａ変換部４と周波数アップコンバート部５の周波数変換部６により無線周波数に周波数変換され、ＢＰＦ７の帯域制限により送信周波数帯域の信号が選択され、増幅部９にて増幅され分配器１０を経てアンテナから送信アナログ出力信号として送信される。
【００５０】
帰還入力アナログ信号Ｓ３は、分配器１１で分配され、周波数ダウンコンバート部１２で周波数変換部１３によりベースバンド帯域の信号に周波数変換され、ＢＰＦ１４の帯域制限によりベースバンド帯域の信号のみが選択され、増幅部１５にて増幅され、Ａ／Ｄ変換部１６により帰還デジタル信号Ｓ８に変換される。さらに、分配部１１で分配されたもう一方の帰還入力アナログ信号Ｓ３は、検波部１９において包絡線検波等の手段により検波され、Ａ／Ｄ変換部２０により帰還入力デジタル信号Ｓ５に変換される。
【００５１】
そして、帰還入力デジタル信号Ｓ５と帰還デジタル信号Ｓ８はそれぞれ比較オフセット部２１に入力され、図２に示されるように、帰還入力デジタル信号Ｓ５は、遅延部２１１で遅延され、平均処理部２１２から平均送信電力データＳ２１として出力される。同様に、入力された帰還デジタル信号Ｓ８は平均処理部２１３から平均送信電力データＳ２２として出力される。比較器２１４には、平均送信電力データＳ２１および平均送信電力データＳ２２が入力される。
【００５２】
平均送信電力データＳ２１は遅延部２１１により周波数ダウンコンバート部１２を含む帰還側の遅延量の補正がなされ、平均送信電力データＳ２２の入力タイミングと同期が図られる。比較器２１４では、平均送信電力データＳ２１は、「平均送信電力データ対送信電力レベル」の変換テーブルに基づいて送信電力レベルに変換される。一方、帰還デジタル信号Ｓ８から算出された平均送信電力データＳ２２は、比較器２１４において、デジタル信号の振幅が一定の基準に従って送信電力レベルに変換される。そして、比較器２１４では、これらの送信電力レベルの比較を行うことにより、帰還利得を算出し、算出された帰還利得を帰還利得情報Ｓ２３として出力する。「平均送信電力データ対送信電力レベル」の変換テーブルは、検波部１９で個別に持ち、検波部１９の検波能力による誤差を最小限にしている。
【００５３】
演算器２１５では、帰還利得情報Ｓ２３と、帰還基準利得メモリ部２１６に予め設定されている帰還基準利得情報Ｓ２４とが比較され、その差分が帰還利得補正情報Ｓ７として出力される。帰還利得補正情報Ｓ７は、利得制御ループを構成する比較制御部１８に出力される。
【００５４】
比較制御部１８では、図３に示されるように、送信デジタル信号Ｓ２と帰還デジタル信号Ｓ８がそれぞれ比較制御部１８に入力され、送信デジタル信号Ｓ２は、遅延部１８１で遅延され、平均処理部１８２から平均送信電力データＳ３１として出力される。同様に、入力された帰還デジタル信号Ｓ８は平均処理部１８３から平均送信電力データＳ３２として出力される。
【００５５】
比較器１８４には、平均送信電力データＳ３１および平均送信電力データＳ３２が入力される。平均送信電力データＳ３１は遅延部１８１によりＤＰＤ部１から出力されて帰還されるまでの遅延量の補正がなされ、平均送信電力データＳ３２の入力タイミングと同期が図られる。比較器１８４では、平均送信電力データＳ３１と平均送信電力データＳ３２のデジタル信号の振幅は一定の基準に従って送信電力レベルに変換され、利得制御ループの利得として送信利得情報Ｓ３３として出力される。
【００５６】
演算器１８５では、送信利得情報Ｓ３３と、送信基準利得メモリ部１８７に予め設定されている利得制御ループの送信基準利得情報Ｓ３５とが比較され、その差分が送信利得差分情報Ｓ３４として演算器１８６に出力される。演算器１８６では、送信利得差分情報Ｓ３４が帰還利得補正情報Ｓ７により補正され、送信制御情報Ｓ６としてＤ／Ａ変換部１７に出力される。
【００５７】
可変減衰器８は、帰還側の利得異常が補正された利得制御ループの送信制御情報Ｓ６がＤ／Ａ変換部１７経由で入力し、帰還側の異常利得を補正した送信アナログ出力信号を増幅部９に出力する。
【００５８】
本実施形態の送信装置では、比較オフセット部２１は、帰還デジタル信号Ｓ８と帰還入力デジタル信号Ｓ５から帰還利得を算出し、予め設定されている帰還基準利得情報と比較して、差分の帰還利得補正情報Ｓ７を算出し、利得制御ループを構成する比較制御部１８に出力する。
【００５９】
そして、帰還利得補正情報Ｓ７を入力された比較制御部１８は、送信デジタル信号Ｓ２と帰還デジタル信号Ｓ８から利得制御ループの利得を算出し、予め設定されている利得制御ループの送信基準利得情報と比較して、差分の送信利得差分情報を算出し、帰還利得補正情報Ｓ７の利得差分を補正した制御情報Ｓ６を可変減衰器８に出力する。
【００６０】
そのため、本実施形態の送信装置では、比較オフセット部２１は、帰還側で利得異常が発生した時に帰還利得補正情報Ｓ７を比較制御部１８に出力するようにし、比較制御部１８ではこの帰還利得補正情報Ｓ７により送信制御情報Ｓ６を補正するようにしているので、帰還側で利得異常が発生した場合でもこの利得異常の影響を受けずに、送信アナログ出力信号を一定にすることができる。
【００６１】
（第２の実施形態）
次に、本発明の第２の実施形態の送信装置について説明する。
【００６２】
本発明の第２の実施形態の送信装置は、図１に示した第１の実施形態の送信装置において、比較オフセット部２１を、図４に示す比較オフセット部２１ａに置き換えたものである。
【００６３】
本実施形態は、第１の実施形態の送信装置に対して、比較オフセット部２１の機能を拡張することにより、帰還側の異常をユーザに知らせるために警報を送信するようにしたものである。
【００６４】
本実施形態における比較オフセット部２１ａは、図２に示した第１の実施形態における比較オフセット部２１に対して、演算器２１５の出力に判定部２１７を追加した構成となっている。
【００６５】
判定部２１７は、演算器２１５からの帰還利得補正情報Ｓ７を、予め設定された帰還利得閾値と比較することにより、帰還側の利得異常を検出し、利得異常が検出された場合に警報を発生する。
【００６６】
本実施形態の送信装置によれば、上記で説明した第１の実施形態の送信装置による効果に加えて、ユーザは帰還側に利得異常が発生したことを警報により知ることができる。
【図面の簡単な説明】
【００６７】
【図１】本発明の第１の実施形態の送信装置の構成を示すブロック図である。
【図２】図１の比較オフセット部２１の一例を示すブロック図である。
【図３】図１の比較制御部１８の一例を示すブロック図である。
【図４】本発明の第２の実施形態の送信装置における比較オフセット部２１ａの構成を示すブロック図である。
【図５】従来の送信装置の構成を示すブロック図である。
【符号の説明】
【００６８】
１    ＤＰＤ部
４    Ｄ／Ａ変換部
５    周波数アップコンバート部
６    周波数変換部
７    ＢＰＦ
８    可変源衰器
９    増幅部
１０、１１    分配部
１２    周波数ダウンコンバート部
１３    周波数変換部
１４    ＢＰＦ
１５    増幅部
１６    Ａ／Ｄ変換部
１７    Ｄ／Ａ変換部
１８    比較制御部
１９    検波部
２０    Ａ／Ｄ変換部
２１、２１ａ    比較オフセット部
５８    比較制御部
１８１    遅延部
１８２、１８３    平均処理部
１８４    比較器
１８５、１８６    演算器
１８７    送信基準利得メモリ部
２１１    遅延部
２１２、２１３    平均処理部
２１４    比較器
２１５    演算器
２１６    帰還基準利得メモリ部
２１７    判定部
Ｓ１    ベースバンド信号
Ｓ２    送信デジタル信号
Ｓ３    帰還入力アナログ信号
Ｓ５    帰還入力デジタル信号
Ｓ６    送信制御情報
Ｓ７    帰還利得補正情報
Ｓ８    帰還デジタル信号
Ｓ２１、Ｓ２２    平均送信電力データ
Ｓ２３    帰還利得情報
Ｓ２４    帰還基準利得情報
Ｓ３１、Ｓ３２    平均送信電力データ
Ｓ３３    送信利得情報
Ｓ３４    送信利得差分情報
Ｓ３５    送信基準利得情報
【図１】
2007110397.tif 000003
【図２】
2007110397.tif 000004
【図３】
2007110397.tif 000005
【図４】
2007110397.tif 000006
【図５】
2007110397.tif 000007